(57)【要約】【課題】本考案は物品を搬送する際に受ける揺れや衝撃により生じるシワや型崩れ偏りの発生を大幅に防ぎ、合わせて包装作業の時間短縮と包装材を節約できる物品包装具を得るにある。【解決手段】略方形のダンボール紙からなる基板と、伸縮性のあるシートからなる物品包装具であって、該基板は物品を載置する中央部と、その両側の耳部からなり、中央部と両耳部の境には折り曲げ線を有し、該シートは物品を押圧する押さえシートとして該基板中央部を被い、両側耳部に固着されている。さらに内装具と外箱からなる物品包装具であって、内装具は前記包装具の上下部に折り曲げ線を有する妻板を設けたもので、物品をシートと基板の間の所定位置に載置し、両側耳部を反シート側（外側）に折り曲げた後、妻板をシート側（内側）に折り曲げた状態のもので、外箱は内装具を収納する物品包装具。【選択図】図６
0003103636.tif 000002
【実用新案登録請求の範囲】
【請求項１】
略方形のダンボール紙からなる基板と、伸縮性のあるシートからなる、主に和装品を包装する物品包装具であって、該基板は物品を載置する中央部と、その両側部の耳部からなり、中央部と耳部との境界線に折り曲げ線を有し、該シートは物品を押圧する押さえシートとして該基板の中央部（物品を載置する部分）を被い耳部に固着されていることを特徴とする、主に和装品を包装する物品包装具である。
【請求項２】
内装具と外箱からなる、主に和装品を包装する物品包装具であって、内装具は略方形のダンボール紙からなる基板と、伸縮性のあるシートからなる。該基板は物品を載置する中央部と、その両側部の耳部からなり、中央部と耳部との境界線に折り曲げ線を有し、該シートは物品を押圧する押さえシートとして該基板の中央部（物品を載置する部分）を被い、耳部に固着されていて、更に該基板の上下部には折り曲げ線を有する妻板が設けられ、物品を基板とシートの間の所定位置に載置し、耳部を反シート側（外側）に折り曲げ線に沿って折り曲げた後、妻板部をシート側（内側）に折り曲げ線に沿って折り曲げた状態の内装具を外箱に収めることを特徴とする、主に和装品を包装する物品包装具である。
【考案の詳細な説明】
【技術分野】
【０００１】本考案は、主に和装品を包装して搬送する際に揺れや衝撃を受け、物品が動いてしまうことによって生じる、シワや型崩れ偏りを防ぐ、物品包装具に関する。
【背景技術】
【０００２】従来、主に和装品などの物品を包装し搬送する際には、たとう紙や文庫紙等で包んで外箱に収納し、次に搬送中に揺れや衝撃を受けることにより、収納された物品が動いてしまうことを防ぐ為に、物品と外箱との間に出来た空間を埋める為、多量の詰め物を詰めていた。しかしその詰め物が物品を過度に押圧し、押しシワが生じる原因になっている。
【考案の開示】
【考案が解決しようとする課題】
【０００３】従来の物品の搬送では揺れや衝撃による、シワや型崩れ偏りを防ぐ為に、外箱と物品との間に出来た空間に多量の詰め物を詰めている。しかし多量に詰めた詰め物が原因で物品を過度に押圧し、押しシワが生じる原因になっている。また詰め物をする事により通常の包装作業より時間がかかり、資源も過剰に消費している。【０００４】本考案は上記のような従来の欠点を鑑み、物品を包装して搬送する際に詰め物を使わず、確実に物品を収納固定することができる、主に和装品を包装する物品包装具を提供することを目的としている。
【課題を解決するための手段】
【０００５】上記目的を達成するに本考案は、物品を包装具に収納固定できるようにしたもので、請求項１記載の物品包装具は略方形のダンボール紙からなる基板と、伸縮性のあるシートからなる、主に和装品を包装する物品包装具であって、該基板は物品を載置する中央部と、その両側部の耳部からなり、中央部と耳部との境界線に折り曲げ線を有し、該シートは物品を押圧する押さえシートとして該基板の中央部（物品を載置する部分）を被い耳部に固着した構成とされている。【０００６】請求項２記載の物品包装具は、内装具と外箱からなる、主に和装品を包装する物品包装具であって、内装具は略方形のダンボール紙からなる基板と、伸縮性のあるシートからなる。該基板は物品を載置する中央部と、その両側部の耳部からなり、中央部と耳部との境界線に折り曲げ線を有し、該シートは物品を押圧する押さえシートとして該基板の中央部（物品を載置する部分）を被い、耳部に固着されていて、更に該基板の上下部には折り曲げ線を有する妻板が設けられ、物品を基板とシートの間の所定位置に載置し、耳部を反シート側（外側）に折り曲げ線に沿って折り曲げた後、妻板部をシート側（内側）に折り曲げ線に沿って折り曲げた状態の内装具を収納する外箱とで構成されている。
【考案の効果】
【０００７】以上の説明から明らかなように、本考案にあたっては次に列挙する効果が得られる。
請求項１記載の物品包装具においては、物品を基板とシートの間の所定位置に載置し、耳部を反シート側（外側）に折り曲げ線に沿って折り曲げ収納することにより、シートが物品を無理な押圧なく押さえ、収納固定できるので、物品を搬送する際に受ける揺れや衝撃、傾きにより生じる、シワや型崩れ偏りを防ぐことができる。【０００８】請求項２記載の物品包装具においては、折り曲げ組み立てられた内装具を収納できる外箱があるため、内装具を単数で搬送するのはもとより、複数での搬送ができる外箱により、個別並びに多量の搬送が可能となる。【０００９】請求項１及び２記載の物品包装具により、従来物品が搬送中に受けていた揺れや衝撃、傾きを防ぐために使用していた詰め物を省略できることから、包装作業時間を短縮することができ、また繰り返し使用できるため省資源と最終的には通常のダンボール紙と同様にリサイクルすることができる。
【考案の実施形態】
【００１０】続いて、添付した図面を参照にしつつ、本考案を具体化した実施例につき説明し、本考案の理解に供する。
ここに図１は、請求項１の実施例に係る物品包装具の展開図を示す。図２は同折り曲げた状態を示す物品包装具の断面図、図３は同折り曲げた状態を示す物品包装具の斜視図。
図４は請求項２の実施例に係る内装具と外箱ならなる物品包装具の内装具の展開図、図５は同折り曲げた状態の内装具の斜視図、図６は同折り曲げられた単数の内装具が外箱に収納される状態の斜視図、図７は同折り曲げられた複数の内装具が外箱に収納される状態の斜視図。（図１〜７において、点線は折り曲げ線を示す）
【００１１】図１〜３に示すように本考案の請求項１の一実施例に係る物品包装具Ａは方形の一例である長方形に形成された基板１と、伸縮性のあるシート２からなり、該基板１は物品３を載置する中央部と左右の耳部４からなり、中央部と耳部４に境界線に折り曲げ線を有し、該シート２は物品３を押圧する押さえシートとして該基板１中央部（物品３を配置する部分）を被い耳部４に固着されている。
【００１２】考案の請求項１の一実施例に係る物品包装具Ａの使用方法について説明する。物品３を該基板１の中央部と該シート２の間の所定位置に載置し、該基板１の耳部４を折り曲げ線に沿って反シート側（外側）に折り曲げることにより、物品３は該シート２に無理な押圧なく押さえられ、該基板１に収納固定される。
【００１３】図４〜６に示すように本考案の請求項２の二実施例に係る、内装具Ｂと外箱Ｃからなる物品包装具であって、内装具Ｂは上記一実施例の該シート２が該基板１の中央部を被い耳部４に固着された該基板１の上下部に、折り曲げ線を有する妻板６、７が設けられ、物品３を該基板１と該シート２の間の所定位置に載置し、第１の耳部４、第２の耳部５の順で反シート側（外側）に折り曲げ線に沿って折り曲げた後、第１の妻板６と第２の妻板７の順でシート側（内側）に折り曲げ線に沿って折り曲げた状態の単数の内装具Ｂを外箱Ｃに収める。
【００１４】図７に示すように本考案の請求項２の三実施例に係る、内装具Ｂと外箱Ｄからなる物品包装具であり、上記二実施例の折り曲げた状態の複数の内装具Ｂを外箱Ｄに収める。
【図面の簡単な説明】
【００１５】
【図１】一実施例の物品包装具の開いた状態の展開図
【図２】一実施例の物品包装具を折り曲げた状態の断面図
【図３】一実施例の物品包装具の折り曲げた状態の斜視図
【図４】二実施例の内装具を開いた状態の展開図
【図５】二実施例の折り曲げられた状態の内装具の斜視図
【図６】二実施例の折り曲げられた単数の内装具が外箱に収まる状態の斜視図
【図７】三実施例の折り曲げられた複数の内装具が外箱に収まる状態の斜視図
【符号の説明】
【００１６】１  基板
２  シート
３  物品
４  第１の耳部
５  第２の耳部
６  第１の妻板部
７  第２の妻板部
Ａ  一実施例の物品包装具
Ｂ  内装具
Ｃ  単数の内装具を収納する外箱
Ｄ  複数の内装具を収納する外箱
【図１】
0003103636.tif 000003
【図２】
0003103636.tif 000004
【図３】
0003103636.tif 000005
【図４】
0003103636.tif 000006
【図５】
0003103636.tif 000007
【図６】
0003103636.tif 000008
【図７】
0003103636.tif 000009